(57)【要約】【課題】フレームに構成された回転用支軸に支持されて回転可能な装飾体を自由回転させることなく、かつその装飾体の外面における任意の部分をメガネ着用者が好みの方向に向けて静止できるようにし、メガネフレームに取り付けた装飾体に対する操作性を高める。【解決手段】装飾体６に回転抵抗に抗した回転力を付加することで装飾体６が回転し、回転力を解除すると装飾体６が回転停止して、装飾体６の回転用支軸周りにおける回転停止角度位置を任意に選択可能に構成した。【選択図】    図３
0003112393.tif 000002
【実用新案登録請求の範囲】
【請求項１】
フレームに装飾体を回転可能にして備えたメガネフレームにおいて、
フレームの一部に回転用支軸が位置し、該回転用支軸が前記装飾体の通し孔に挿通して装飾体が回転用支軸に回転可能に支持され、かつ装飾体の前記通し孔内面と回転用支軸の外周面とが互いに摺接可能に接触してなり装飾体の回転に際して装飾体の前記通し孔内面と回転用支軸の外周面との摩擦による回転抵抗を生じる回転抵抗機構部を有し、
装飾体に対しての回転抵抗機構部による回転抵抗に抗した回転力の付加により装飾体が回転し、前記回転力の解除により装飾体が回転停止して、装飾体の回転用支軸周りにおける回転停止角度位置が任意に選択可能に構成されていることを特徴とするメガネフレーム。
【請求項２】
フレームに装飾体を回転可能にして備えたメガネフレームにおいて、
フレームの一部に回転用支軸を位置させ、該回転用支軸への接触により回転用支軸の周方向に回転抵抗を有した状態で回転可能な回転抵抗体を回転用支軸の周りに設け、外面を装飾面とした前記装飾体を前記回転抵抗体に被せ付けてこの回転抵抗体を覆い、装飾体の内部と前記回転抵抗体の外部とを接触させて前記装飾体が回転用支軸の周方向に対して回転抵抗を有した状態で回転用支軸の周方向に回転可能に設けられ、
装飾体に対しての前記回転抵抗に抗した回転力の付加により装飾体が回転し、前記回転力の解除により装飾体が回転停止して、装飾体の回転用支軸周りにおける回転停止角度位置が任意に選択可能に構成されていることを特徴とするメガネフレーム。
【考案の詳細な説明】
【技術分野】
【０００１】
本考案はメガネフレームに関するものである。
【背景技術】
【０００２】
従来、メガネフレームのデザイン性を高める方法の一つとして装飾物をメガネフレームに取り付けることが行なわれており、例えばテンプルに回転用支軸を設け、スリットを備えた弾性装飾体の前記スリットを開くようにして回転用支軸に嵌め付け、これによって弾性装飾体をメガネフレームに対して着脱可能に取り付けるようにしたものが提案されている（特許文献１）。また、外面に装飾を施したコマを前記回転用支軸に回転可能にし、そしてその回転用支軸の断面形状を多角形としたりコマの芯部の断面形状を多角形にするとともに、コマ自体を弾性変形する素材とする構成や、断面形状が多角形の回転用支軸の平坦面にばね付勢したボールが押圧する構成によって、コマが所定の向きをもって静止できるようにした工夫（特許文献２）も提案されている。
【特許文献１】実用新案登録第３０００４７６号公報
【特許文献２】実用新案登録第３００１４７３号公報
【考案の開示】
【考案が解決しようとする課題】
【０００３】
メガネフレームのテンプルにおいて装飾体を回転自由に設けたものにあっては、メガネ着用時その装飾体が自然に回転して目障りとなる場合が多いが、上述したように装飾体が所定の向きに静止させるものにあっては、メガネ着用者の好みに応じた装飾部分を所定の向きにして回転させないようにしておくことができ、この点では有利である。
しかしながら、回転用支軸に形成した各平坦面の向きで回転用支軸周りでの装飾体の静止角度が限定されて、装飾部分のメガネ着用者が好む面をメガネ着用者の好みの向きに静止させることができないという不都合がある。
そこで本考案は上記事情に鑑み、フレームに構成された回転用支軸に支持されて回転可能な装飾体を自由回転させることなく、かつその装飾体の外面における任意の部分をメガネ着用者が好みの方向に向けて静止できるようにすることを課題とし、メガネフレームに取り付けた装飾体に対する操作性を高めることを目的とする。
【課題を解決するための手段】
【０００４】
本考案は上記課題を考慮してなされたもので、フレームに装飾体を回転可能にして備えたメガネフレームにおいて、フレームの一部に回転用支軸が位置し、該回転用支軸が前記装飾体の通し孔に挿通して装飾体が回転用支軸に回転可能に支持され、かつ装飾体の前記通し孔内面と回転用支軸の外周面とが互いに摺接可能に接触してなり装飾体の回転に際して装飾体の前記通し孔内面と回転用支軸の外周面との摩擦による回転抵抗を生じる回転抵抗機構部を有し、装飾体に対しての回転抵抗機構部による回転抵抗に抗した回転力の付加により装飾体が回転し、前記回転力の解除により装飾体が回転停止して、装飾体の回転用支軸周りにおける回転停止角度位置が任意に選択可能に構成されていることを特徴とするメガネフレームを提供して、上記課題を解消するものである。
【０００５】
また、もう一つの考案は、フレームに装飾体を回転可能にして備えたメガネフレームにおいて、フレームの一部に回転用支軸を位置させ、該回転用支軸への接触により回転用支軸の周方向に回転抵抗を有した状態で回転可能な回転抵抗体を回転用支軸の周りに設け、外面を装飾面とした前記装飾体を前記回転抵抗体に被せ付けてこの回転抵抗体を覆い、装飾体の内部と前記回転抵抗体の外部とを接触させて前記装飾体が回転用支軸の周方向に対して回転抵抗を有した状態で回転用支軸の周方向に回転可能に設けられ、装飾体に対しての前記回転抵抗に抗した回転力の付加により装飾体が回転し、前記回転力の解除により装飾体が回転停止して、装飾体の回転用支軸周りにおける回転停止角度位置が任意に選択可能に構成されていることを特徴とするメガネフレームであり、このメガネフレームを提供して上記課題を解消するものである。
【考案の効果】
【０００６】
考案によれば、装飾体が回転用支軸の周方向に自由回転とはならないため、メガネ着用時にこの装飾体が不用意に回転することがなく、装飾体が目障りにはならない。そして、装飾体を回転抵抗に抗して回転させて所望の面が所望の向きとなったときに回転力を解除する（例えば装飾体を回している指を装飾体から離す）ことで静止するため、装飾体の見え方自体をメガネ着用者自体で簡単に変更できるなど、実用性に優れた効果を奏するものである。
【考案を実施するための最良の形態】
【０００７】
つぎに本考案を図示の実施の形態に基づいて詳細に説明する。
図中１はメガネフレームで、該メガネフレーム１はレンズが取り付けられるフロント枠２における左右それぞれの智３にヒンジ４を介してテンプル５が回動可能に連結されているものである。そして、前記テンプル５それぞれのヒンジ４側に装飾体６が配置されている。
上記テンプル５の装飾体６が配置される部分にあっては図２、図３に示されているようにテンプル５の一般部５ａの断面とは異なって略円柱状の回転用支軸７が設けられている。そしてこの回転用支軸７に回転抵抗体８を介した状態で装飾体６が回転可能に、かつその回転に際して回転抵抗が生じる状態で回転するようにしており、装飾体６が自由回転とはならないようにしている。
【０００８】
上記回転抵抗体８はゴムやシリコンゴムからなる管形状物として回転用支軸７に装着することでこの回転用支軸７の周りに設けられている。そして、ある程度の締付力を生じた状態で回転抵抗体８の内周面が回転用支軸７の外周面に直接接触していて、この接触により、回転用支軸７の周方向への回転抵抗を有した状態で回転可能となるように設けられているものである。
【０００９】
上記装飾体６は外周面を略円柱状とした金属製の管形状物であり、外周面全体に削り込み加工などの装飾加工を施してその外周面全周を装飾面９とし、上記回転抵抗体８に被せ付けてこの回転抵抗体８を覆っている。図示されているように装飾体６において回転軸方向に対向位置する装飾体６の端部６ａそれぞれは回転用支軸７に向けて折り曲げ加工されており、さらにその端部６ａの折り込みによりなる透孔１０は、その端部６ａが近接して回転用支軸７が連結しているテンプル５の一般部５ａの端面に隠れる大きさであり、この装飾体６が被せ付けられた回転抵抗体８が外部から見えないようにしている。
【００１０】
上記装飾体６においてもこの装飾体６が単体で自由回転しないように、装飾体６の内部と回転抵抗体８の外部とが接触して装飾体６がある程度の締付力にて回転抵抗体８を締め付けていて、装飾体６とこの装飾体６が覆っている回転抵抗体８との間において装飾体６の回転に際して摩擦を生じさせるようにしている。
これによって、装飾体６が回転用支軸７の周方向に対して回転抵抗を有した状態で回転用支軸７の周方向に回転可能となっており、装飾体６を指先で回すように装飾体６に対しての回転抵抗に抗した回転力の付加を行なえばその装飾体６が回転し、また、装飾体６から指を離すなどして前記回転力を解除すれば装飾体６が回転停止するようになる。そのため、装飾体６の回転用支軸周りにおける回転停止角度位置が任意に選択可能となっており、メガネ着用者の好みの装飾部分をそのメガネ着用者の好みの向きとなるように装飾体６を簡単に静止できる。
【００１１】
装飾体６は上述したように端部６ａそれぞれを回転用支軸７側に折り曲げ加工し、その折り込みによりなる透孔１０をテンプル５の一般部５ａの端面に隠れる大きさにして、上記回転抵抗体８を外部から見えないようにして外観を整えたが、回転抵抗体８を外部から見えないようにする構成は上記実施の形態に限定されるものではなく、例えば、図４に示すように回転用支軸７に通されたワッシャー１３を回転抵抗体８の両端部に位置させ、装飾体６の端部６ａを前記ワッシャー１３の外周部に係止させるように少なく折り込むことによっても、回転抵抗体８を外部から見えないようにすることができる。
【００１２】
上記実施の形態における回転抵抗体８を、ゴムやシリコンゴムからなる管形状物として説明したが、回転抵抗体８は上記実施の形態のものに限定されるものではない。例えば、回転用支軸７の外周面と装飾体６の内周面とに転動可能に当接する複数のベアリング材を配し、このベアリング材を介した状態でベアリング材から回転用支軸７の外周面と装飾体６の内周面とに或る程度の押圧力が付加されるようにして装飾体の自由回転を抑えることができる構成のものとしてもよい。また、回転用支軸７の断面形状も限定されず、略円柱状ばかりでなく略角柱状とすることも可能である。
【００１３】
図５は他の実施の形態を示している。この図５に示された形態では、装飾体６自体の中心となる位置に断面形状を円とした回転用支軸７の前記断面形状に応じた円形の通し孔１１が回転中心の方向に沿って開口しており、この通し孔１１に回転用支軸７が挿通して装飾体６を回転可能に支持している。装飾体６は上記実施の形態のものと内部構造が異なっていて、この実施の形態では通し孔１１以外の部分が装飾体６の基体材料で満たされている。そして、前記通し孔１１の内面と回転用支軸７の外周面とが互いに摺接可能に接触していて、この両者にて、装飾体６の回転に際して通し孔１１の内面と回転用支軸７の外周面との摩擦による回転抵抗が生じる回転抵抗機構部１２を形成している。
この回転抵抗機構部１２は上記実施の形態における回転抵抗体８と同一の作用を果たすものであり、装飾体６は、回転用支軸７の周方向に対して回転抵抗機構部１２で生じた回転抵抗を有した状態で回転用支軸７の周方向に回転可能で、装飾体６を指先で回すように装飾体６に対しての回転抵抗に抗した回転力の付加を行なえばその装飾体６が回転し、また、装飾体６から指を離すなどして前記回転力を解除すれば装飾体６が回転停止するように設けられているものである。よって、装飾体６の回転用支軸７周りにおける回転停止角度位置が自由に選択できる。
【００１４】
上記それぞれの実施の形態において、装飾体６の配置をテンプル５として説明したが、これに限定されるものではなく、ヨロイ部やブリッジなどのフロント枠側に配置するレイアウトも可能であり、この装飾体６を配する位置に上記回転用支軸７や回転抵抗体８、また回転抵抗機構部１２を有する構造を組むようにすればよく、配置個数も限定されない。
【００１５】
装飾体６の構造は一体構造のみに限定されず、複数個の装飾体構成部材の組み合わせにより形成できるものとすることも可能であり、その一例を図６に示した。この図６では図１〜図３に示す実施の形態における装飾体６を、それぞれ略円筒状として外周面を装飾面９としている複数個の装飾体構成部材１４からなるものとした形態を示していて、前記複数個の装飾体構成部材１４が回転用支軸７の長さ方向に並べられ（図６（イ））、隣り合う装飾体構成部材１４同士において、一方の装飾体構成部材１４の外周面位置から回転用支軸７側に段落とし状に段付けされた小径端部１４ａを、他方の装飾体構成部材１４における内径を外周面側に拡径してなる受け端部１４ｂ内に摺接可能に挿入しており（図６（ロ））、隣り合う装飾体構成部材１４同士で前記小径端部１４ａの受け端部１４ｂへの挿入を行なうことで複数個の装飾体構成部材１４が並び、個々の装飾体構成部材１４における単独の回転を可能にした状態で装飾体６を構成している。勿論、この構成は図５に示した実施の形態にも応用できる。
【００１６】
さらに、装飾体６の外周面形状は上記実施の形態に限定されず、外周面での断面形状が楕円、三角形、四角形、多角形、そして凹部を有するなどの異形であってもよく、回転中心方向に沿って断面形状が変化するものであってもよい。
装飾体６の装飾は削り込みに限定されない。そして、装飾体６の外周面に装飾として施す装飾材として金属、合成樹脂、鼈甲・木材・自然繊維などの天然素材、陶器などが利用でき、これも限定されない。さらには装飾体６の基体材料も限定されない。
【００１７】
装飾体６の取付方法は限定されるものではないが、取付前形態で断面略Ｃ形となっている装飾体基体を取付後に閉じて接合部をロウ付けしたり、取付前形態で断面半円形となっている二つの装飾体基体を配置位置にて組み合わせて接合部をロウ付けするなどの方法もある。
さらに、フレームでの回転用支軸７も旋盤加工などにて形成したり、フレーム分断部位に支軸用柱材を配してロウ付け、ネジ止め、ネジ込みして得たり、さらには鋳造による一体成形で得るなど、各種の方法が採用できるものである。
【図面の簡単な説明】
【００１８】
【図１】本考案に係るメガネフレームの実施の形態を示す説明図である。
【図２】図１の実施の形態における装飾体を示す説明図である。
【図３】図１の実施の形態における装飾体取付状態を断面で示す説明図である。
【図４】ワッシャーを配した実施の形態を断面で示す説明図である。
【図５】他の実施の形態における装飾体取付状態を断面で示す説明図である。
【図６】他の実施の形態における装飾体構成を示す説明図である。
【符号の説明】
【００１９】
１…メガネフレーム
５…テンプル
６…装飾体
７…回転用支軸
８…回転抵抗体
９…装飾面
１０…透孔
１１…通し孔
１２…回転抵抗機構部
１３…ワッシャー
１４…装飾体構成部材
【図１】
0003112393.tif 000003
【図２】
0003112393.tif 000004
【図３】
0003112393.tif 000005
【図４】
0003112393.tif 000006
【図５】
0003112393.tif 000007
【図６】
0003112393.tif 000008